(57)【要約】      （修正有）【課題】フィギュア人形について仮想的な姿態を造形する一方で素材や構成についてのリアリティを向上させて、フィギュアの価値を高めるパーツ被覆構造を提供する。【解決手段】２以上のパーツを接続して造形されるフィギュア１において、脚部パーツ３を被覆するパーツ被覆構造であって、脚部パーツが胴体パーツ２に接続される接続部２３と、脚部パーツが胴体パーツに接続された状態において脚部パーツに係る表面部分を覆う網タイツ５と、接続部２３において脚部パーツと胴体パーツとが接続されることにより網タイツの余剰部分５ｃを挟持し、網タイツによる脚部パーツの被覆状態を維持する被覆挟持部と、脚部パーツに形成された嵌込部３２に嵌合されることにより網タイツの端部を挟持し、網タイツによる脚部パーツの被覆状態を維持するハイヒール４とを備える。【選択図】図３
0003206026.tif 000002
【実用新案登録請求の範囲】
【請求項１】
２以上のパーツを接続して造形されるフィギュアにおいて、前記パーツのうち任意の対象パーツを被覆するパーツ被覆構造であって、
前記対象パーツが他のパーツに接続される接続部と、
前記対象パーツが前記接続部を介して前記他のパーツに接続された状態において前記対象パーツに係る表面部分を覆う被覆材と、
前記接続部において、前記対象パーツと前記他のパーツとが接続されることにより前記被覆材の端部を挟持し、前記被覆材による前記対象パーツの被覆状態を維持する被覆挟持部と、
前記対象パーツに形成された凸部に嵌合されることにより前記被覆材の端部を挟持し、前記被覆材による前記対象パーツの被覆状態を維持する嵌合部材と
を備えることを特徴とするパーツ被覆構造。
【請求項２】
前記被覆挟持部は、前記凸部と前記嵌合部材とが合致する凹凸形状が形成されていることを特徴とする請求項１に記載のパーツ被覆構造。
【請求項３】
前記被覆材は、筒状に縫合された部分を形成することにより前記対象パーツを覆い、
前記接続部には、前記縫合された縫目部分が挿通される切欠部が形成され、
前記凸部又は前記嵌合部材のいずれか又は両方に、前記縫合された縫目部分が挿通される切欠部が形成されている
ことを特徴とする請求項１又は２に記載のパーツ被覆構造。
【請求項４】
前記嵌合部材を支持する支持部材と、
前記支持部材に接合されて、前記被覆材の端部を挟持した状態の前記嵌合部材を貫通させて、前記対象パーツの凸部に連結される連結部材と
をさらに備えることを特徴とする請求項１乃至３のいずれかに記載のパーツ被覆構造。
【請求項５】
前記対象パーツはキャラクターの脚部であり、
前記被覆材は前記脚部に履かせられる網状のタイツであり、
前記嵌合部材は前記脚部の先端凸部に履かせられる履物である
ことを特徴とする請求項１乃至４のいずれかに記載のパーツ被覆構造。
【考案の詳細な説明】
【技術分野】
【０００１】
本考案は、人間や動物、ロボット等のキャラクターのフィギュアにおいて、キャラクターの胴体や脚、腕、頭部などのように２以上のパーツを接続して造形する際に、任意の対象パーツを網タイツやストッキングなどの衣類で被覆するパーツ被覆構造に関する。
【背景技術】
【０００２】
一般的に人間や動物、ロボット等のキャラクターのフィギュア人形などは、ＡＢＳ樹脂などのプラスチック素材や、ＰＶＣ（ポリ塩化ビニル）等のソフトビニル素材などで型取りされ、複数のパーツを組み合わせることにより造形される。
【０００３】
近年では、アニメやコミックなどのジャパンポップカルチャーの国際化によりフィギュア人形も世界的に広まりつつあり、広く普及するにつれて、そのデザインや構造などもその多様性が増大している（例えば、特許文献１）。
【先行技術文献】
【特許文献】
【０００４】
【特許文献１】特開２００７−５４５３６号公報
【考案の概要】
【考案が解決しようとする課題】
【０００５】
ところで、上述したフィギュア人形では、アニメやコミックなどの２次元世界のキャラクターを立体化するものであり仮想的な姿態が造形される場合が多い一方で、服飾品や装飾品の素材や構成についてはリアリティが求められる傾向があり、そのバーチャリティーとリアリティの調和でその価値が高められる。
【０００６】
しかしながら、上述したプラスチック素材やソフトビニル素材ではその表現力に一定の限界があり、上述したリアリティが再現しきれないという問題があった。
【０００７】
そこで、本考案は、上記のような問題を解決するものであり、フィギュア人形において、仮想的な姿態を造形する一方で、素材や構成についてのリアリティを向上させて、フィギュアの価値を高めることのできるパーツ被覆構造を提供することを目的とする。
【課題を解決するための手段】
【０００８】
上記課題を解決するために、本考案は、２以上のパーツを接続して造形されるフィギュアにおいて、前記パーツのうち任意の対象パーツを被覆するパーツ被覆構造であって、
前記対象パーツが他のパーツに接続される接続部と、
前記対象パーツが前記接続部を介して前記他のパーツに接続された状態において前記対象パーツに係る表面部分を覆う被覆材と、
前記接続部において、前記対象パーツと前記他のパーツとが接続されることにより前記被覆材の端部を挟持し、前記被覆材による前記対象パーツの被覆状態を維持する被覆挟持部と、
前記対象パーツに形成された凸部に嵌合されることにより前記被覆材の端部を挟持し、前記被覆材による前記対象パーツの被覆状態を維持する嵌合部材と
を備えることを特徴とする。
【０００９】
このようなパーツ被覆構造によれば、例えば、女性キャラクターのフィギュアの脚部や腕など凸状の部位を布や網状材の被覆材で覆うことができ、プラスチック素材やソフトビニル素材では表現できない質感やフィット感を表現することができ、フィギュア全体のシルエットを崩すことなくリアリティを再現することが可能となる。
【００１０】
上記考案において、前記被覆挟持部は、前記凸部と前記嵌合部材とが合致する凹凸形状が形成されていることが好ましい。この場合には、被覆挟持部の凹凸形状によって被覆材を挟み込むことにより被覆挟持部内で被覆材を固定することができ、対象パーツ表面で被覆材を固定するための、リアリティを損なうような部材を配置する必要がない。
【００１１】
上記考案において、前記被覆材は、筒状に縫合された部分を形成することにより前記対象パーツを覆い、
前記接続部には、前記縫合された縫目部分が挿通される切欠部が形成され、
前記凸部又は前記嵌合部材のいずれか又は両方に、前記縫合された縫目部分が挿通される切欠部が形成されている
ことが好ましい。
【００１２】
この場合には、被覆材を筒状に形成して対象パーツを覆うことができるとともに、そのための縫目を自然に接続部内に挿通して収納することができ、対象パーツ表面で縫目部分を固定したり隠すための、リアリティを損なうような部材を配置する必要がない。
【００１３】
上記考案では、前記嵌合部材を支持する支持部材と、
前記支持部材に接合されて、前記被覆材の端部を挟持した状態の前記嵌合部材を貫通させて、前記対象パーツの凸部に連結される連結部材と
をさらに備えることができる。
【００１４】
この場合には対象パーツに嵌合される嵌合部材を介して支持部材で支持することができ、支持部材でフィギュア全体を支持することができる。この際、被覆材を挟持した状態の嵌合部材に、連結部材を貫通させるため、対象部材を固定する力を、被覆材を固定するために兼用させることができ、余計な部材を増やすことなく、より被覆材の固定を確実なものとすることができる。
【００１５】
上記考案において、前記対象パーツはキャラクターの脚部であり、
前記被覆材は前記脚部に履かせられる網状のタイツであり、
前記嵌合部材は前記脚部の先端凸部に履かせられる履物である
ことが好ましい。この場合には、例えば、女性キャラクターのフィギュアの脚部を網状のタイツを履いたようなデザインとし、その固定のための嵌合部材を履物とすることで、プラスチック素材やソフトビニル素材では表現できない質感やフィット感を表現することができるとともに、余計な部材を増やすことがないためフィギュア全体のシルエットを崩すことなくリアリティを再現できる。
【考案の効果】
【００１６】
以上述べたように、この考案によれば、人間や動物、ロボット等のキャラクターのフィギュア人形において、キャラクターの胴体や脚、腕、頭部などのように２以上のパーツを接続して造形する際に、任意の対象パーツを網タイツやストッキングなどの衣類で被覆することにより、仮想的な姿態を造形する一方で、素材や構成についてのリアリティを向上させることができる。
【図面の簡単な説明】
【００１７】
【図１】実施形態に係るフィギュアの完成形を示す外観図（前側）である。
【図２】実施形態に係るフィギュアの完成形を示す外観図（後側）である。
【図３】実施形態に係るフィギュアを分解した状態を示す外観図である。
【図４】実施形態に係るフィギュアの嵌合部の構成を示す外観図である。
【図５】実施形態に係るフィギュアの支持構造を示す側断面図である。
【図６】実施形態に係るフィギュアの支持構造を分解して示す側断面図である。
【考案を実施するための形態】
【００１８】
（フィギュアの構成）
以下に添付図面を参照して、本考案に係るシステムの実施形態を詳細に説明する。図１及び図２は、本実施形態に係るフィギュアの全体構成を前後から示す外観図であり、図３はフィギュアを分解した状態を示す外観図である。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、特許請求の範囲において、種々の変更を加えることができる。
【００１９】
図１乃至図３に示すように、本実施形態に係るフィギュア１は、レオタード姿の女性のオブジェクトであり、胴体パーツ２に脚部パーツ３，３を接続して造形される。そして、本実施形態では、これら複数のパーツのうち脚部パーツ３，３が対象パーツとして網タイツ５，５によって被覆されている。
【００２０】
胴体パーツ２は、人間の身体のうち上半身及び腰部を含む部位を模った部品であり、図示した例では、胴体に頭部や腕が既に接続された状態となっている。この胴体パーツ２は、図２に示すように、腰部における脚の付け根部分で、レオタードの布の部分を境界として脚部が分離されており、胴体パーツ２の脚の付け根部分に設けられた接続部２３に、脚部パーツ３側の接続部２３を嵌め込むことにより、胴体パーツ２と脚部パーツ３とを接続して、一体化させるようになっている。
【００２１】
脚部パーツ３の下部先端は、人間の脚の爪先となっており凸状に形成された先端凸部となっている。本実施形態では、この爪先から踵部分にかけて、履物であるハイヒール４が履かせられている。そして、この脚部パーツ３表面の皮膚となる部分が網タイツ５で被覆されるデザインとなっている。なお、このフィギュア１は、スタンド等の台座に支持構造を介して、自立した状態で固定して飾ることができる。
【００２２】
（パーツ被覆構造）
上述したように、本実施形態では、脚部パーツ３表面の皮膚となる部分は、網タイツ５で被覆されている。このパーツ被覆構造について以下に説明する。具体的に本実施形態に係るパーツ被覆構造は、脚部パーツ３を覆う被覆材としての網タイツ５と、網タイツ５を固定するための被覆挟持部及びハイヒール４とから構成される。
【００２３】
網タイツ５は、脚部パーツ３が接続部２３を介して胴体パーツ２に接続された状態において脚部パーツ３に係る表面部分を覆う被覆材であり、筒状に縫合されて先端５ａが塞がれ、脚の付け根側の後端５ｂを開口した袋状とすることにより脚部パーツ３を覆うように形成されている。具体的に網タイツ５は、ストレッチサテン地、ナイロン地など伸縮性を持たせたネット状の布地で縫製されたフィット性を有し、ナイロンとポリウレタンの混合した素材で形成されたストッキングなども含まれる。ネット状の形成方法としては、ナイロン糸とポリウレタンのサポート糸を一段毎に交互にメリヤス編みで編む交編や、ポリウレタンのサポート糸のみをメリヤス編みで編むゾッキ編みなどが挙げられる。本実施形態において網タイツ５は、縫目部分５１によって筒状に縫合され、先端が塞がれた袋状に縫製されている。
【００２４】
接続部２３は、胴体パーツ２の股関節部分に設けられた環状の溝部２１と、この溝部２１に嵌め込まれ、溝部２１の形状に合致する形状を有するリング状の嵌込部３１とから構成される。溝部２１と嵌込部３１には組付け角度を規制するために、溝部２１側の凸部２１ａと嵌込部３１側の凹部３１ａとが形成されている。なお、本実施形態における接続部２３には、網タイツ５の筒状に縫合された縫目部分５１が挿通される切欠部３１ｂが形成されている。
また、胴体パーツ２と脚部パーツ３との接続部２３において、網タイツ５を固定する被覆挟持部は、脚部パーツ３と胴体パーツ２とが接続されることにより網タイツ５の端部を挟持し、網タイツ５による脚部パーツ３の被覆状態を維持する構造である。具体的に被覆挟持部は、上述したリング状の突出した嵌込部３１と、環状の溝部２１とが、相互に合致する凹凸形状である凸部２１ａと凹部３１ａとが形成されている。先端５ａが塞がれた袋状の網タイツ５を、脚部パーツ３の足先から脚の付け根の嵌込部３１にかけて後端５ｂの開口を通して被せるとともに、網タイツ５の余剰部分５ｃを、嵌込部３１内に押し込み、胴体パーツ２の溝部２１に嵌込部３１を余剰部分５ｃとともに嵌め込む。これによって、被覆挟持部の凹凸形状で網タイツ５の余剰部分５ｃが挟持されて被覆挟持部内で網タイツ５が固定される。
【００２５】
一方、嵌合部材であるハイヒール４は、脚部パーツ３に形成された凸部である爪先から踵部分に嵌合される履物の模ったパーツであり、脚部パーツ３の先端に履かせられることによって網タイツ５の端部を挟持し、網タイツ５による脚部パーツ３の被覆状態を維持する構造である。具体的には、図４に示すように、ハイヒール４は、内部に中空４１が形成された本体４０と、本体４０の底面に接着されたヒール部４２とから概略構成されている。中空４１内の底面には、ブロック状の凸部４１ａが形成されるとともに、内底面の中央には底面から中空４１に貫通される貫通孔４１ｂが形成されている。
【００２６】
これに対して脚部パーツ３の先端部底面、すなわち足の裏に当たる部分には、足の裏から突出されてハイヒール４に嵌め込まれる嵌込部３２が形成されている。この嵌込部３２は、ブロック状の凸部４１ａに嵌合される凹部３２ａが形成されているとともに、網タイツ５の縫目部分５１が挿通される切欠部３２ｂが形成されている。
【００２７】
また、足の裏の嵌込部３２には、凸部４１ａ又は凹部３２ａのいずれか又は両方に、網タイツ５を縫合した縫目部分５１が挿通される切欠部３２ｂが形成されている。これらによって、網タイツ５を筒状に形成して脚部パーツ３を覆い、そのための縫目部分５１をハイヒール４内に挿通して固定・収納する。
【００２８】
さらに、本実施形態では、フィギュア１を自立した状態で固定して飾る支持構造が備えられている。図５及び図６は、本実施形態に係る支持構造を示す側断面図である。
【００２９】
この支持構造は、本実施形態では、ハイヒール４を支持する支持部材６の本体６０と、支持部材６に接合された連結部材であるピン６１とから構成される。本体６０は、フィギュア１の脚部パーツ３を保持して自立させるスタンドホルダーであり、ハイヒール４の外形状と合致する形状の上面６０ａ及び挿通孔６０ｂが形成されている。ハイヒール４は、脚部パーツ３に嵌合された状態において、これら上面６０ａ上に載置され、ヒール部４２を挿通孔６０ｂに差し込むことにより、本体６０に連結される。ピン６１は、本体６０の上面６０ａから上方に向けて突出された部材であり、本体６０と一体成型されている。
【００３０】
ハイヒール４には、ハイヒール４の靴底部分を貫通させた差込孔３３が形成されている。ピン６１は、網タイツ５の端部を挟持した状態のハイヒール４を、網タイツ５ごと貫通させて脚部パーツ３の足の裏部分の差込孔３３に連結される。この支持部材６によって、脚部パーツ３に嵌合されるハイヒール４を介して支持部材６で支持し、支持部材６でフィギュア１全体を支持する。この際、被覆材を挟持した状態の嵌合部材に連結部材を貫通させるため、対象部材を固定する力を、被覆材を固定するためにも用いる。
【００３１】
（作用・効果）
以上説明した本実施形態に係るフィギュア１によれば、フィギュア１の脚部パーツ３を網状の網タイツ５で覆うことができ、プラスチック素材やソフトビニル素材では表現できない質感やフィット感を表現することができ、フィギュア全体のシルエットを崩すことなくリアリティを再現することが可能となる。
【００３２】
特に、本実施形態では、被覆挟持部に、嵌込部３１と溝部２１とが合致する凹凸形状が形成されていることから、被覆挟持部の凹凸形状によって網タイツ５を挟み込むことにより被覆挟持部内で網タイツ５を固定することができ、脚部パーツ３表面で網タイツ５を固定するための部材を配置する必要がない。また、本実施形態では、網タイツ５を筒状に形成して脚部パーツ３を覆うことができるとともに、網タイツ５を縫製した縫目部分５１を自然に接続部２３内に挿通して収納することができ、脚部パーツ３表面で縫目部分５１部分を固定したり隠すための部材を配置する必要がない。
【００３３】
さらに、本実施形態では、脚部パーツ３に嵌合されるハイヒール４を介して支持部材６で支持することができ、支持部材６でフィギュア１全体を支持することができる。この際、網タイツ５を挟持した状態のハイヒール４にピン６１を貫通させるため、脚部パーツ３を固定する力を網タイツ５の固定にも兼用させることができ、余計な部材を増やすことなく、より被覆材の固定を確実なものとすることができる。
【００３４】
以上述べたように、本実施形態によれば、人間や動物、ロボット等のキャラクターのフィギュア人形において、キャラクターの胴体や脚、腕、頭部などのように２以上のパーツを接続して造形する際に、任意の対象パーツを網タイツやストッキングなどの衣類で被覆することにより、仮想的な姿態を造形する一方で、素材や構成についてのリアリティを向上させることができる。
【符号の説明】
【００３５】
１…フィギュア
２…胴体パーツ
３…脚部パーツ
４…ハイヒール
５…網タイツ
５ａ…先端
５ｂ…後端
５ｃ…余剰部分
６…支持部材
２１…溝部
２１ａ…凸部
２３…接続部
３１…嵌込部
３１ａ…凹部
３１ｂ…切欠部
３２…嵌込部
３２ａ…凹部
３２ｂ…切欠部
３３…差込孔
４０…本体
４１…中空
４１ａ…凸部
４１ｂ…貫通孔
４２…ヒール部
５１…縫目部分
６０…本体
６０ａ…上面
６０ｂ…挿通孔
６１…ピン
【図１】
0003206026.tif 000003
【図２】
0003206026.tif 000004
【図３】
0003206026.tif 000005
【図４】
0003206026.tif 000006
【図５】
0003206026.tif 000007
【図６】
0003206026.tif 000008